(57)【要約】【課題】従来品よりも更に薄型化を図ることが容易な画像読取装置を提供すること。【解決手段】画像読取装置は、搬送部２０によって搬送されるシートが接触する第一接触部３１Ａと、第一接触部３１Ａを挟んで搬送経路に対向する静止位置で静止して第一接触部３１Ａに接触しつつ第一読取位置を通過するシートの画像を読み取り可能な第一読取部１５Ａと、搬送部２０によって搬送されるシートが接触する第二接触部３１Ｂと、第二接触部３１Ｂに接触しつつ第二読取位置を通過するシートの画像を読み取る第二読取部１５Ｂとを備える。第二読取部１５Ｂは、ＦＢ用プラテン７の上面に直交する方向から見て、静止位置で静止した第一読取部１５Ａとは重ならない位置に配設されている。【選択図】図５
2015159343.tif 000002
【特許請求の範囲】
【請求項１】
読み取り対象物を支持する支持面を有する第一ユニットと、
前記第一ユニットに取り付けられており、前記支持面を覆う閉位置と前記支持面を露出させる開位置との間で変位可能な第二ユニットと
を備え、
前記第二ユニットは、
所定の搬送経路に沿ってシートを搬送する搬送部と、
前記搬送部へ供給されるシートを支持する供給部と、
前記搬送部から排出されたシートを支持する排出部と
を備え、
前記第一ユニットは、
前記搬送部によって搬送されるシートが接触する第一接触部と、
前記支持面に沿って移動しつつ当該支持面によって支持された前記読み取り対象物の画像を読み取り可能、かつ前記第一接触部を挟んで前記搬送経路に対向する静止位置で静止して前記第一接触部に接触しつつ第一読取位置を通過するシートの画像を読み取り可能な第一読取部と
を備え、
前記第二ユニットは、
前記搬送部によって搬送されるシートが接触する第二接触部と、
前記第二接触部に接触しつつ第二読取位置を通過するシートの画像を読み取る第二読取部と
を備え、
前記搬送部は、前記供給部から送り出されたシートを、前記搬送経路の第一位置において搬送方向下流側へと送り出す第一搬送ローラを有し、前記搬送経路に沿ってシートを搬送する際には、シートが前記第一位置を通過した後、第二位置から第三位置に至る範囲でシートの搬送方向をＵターンさせ、更に前記第三位置から第四位置を経由して第五位置に至る範囲のうち、前記第四位置ではシートの第二面を前記第二接触部に接触させ、前記第五位置でシートの第一面を前記第一接触部に接触させ、
前記第二読取部は、前記支持面に直交する方向から見て、前記静止位置で静止した前記第一読取部とは重ならない位置に配設されている
画像読取装置。
【請求項２】
前記搬送部は、
前記第三位置から前記第五位置へと搬送されるシートを、下り勾配で傾斜した方向へと案内する傾斜案内部
を備え、
前記第二読取部及び前記第二接触部は、前記支持面に対して傾いた状態で、前記傾斜案内部に配設されている
請求項１に記載の画像読取装置。
【請求項３】
前記第一搬送ローラは、前記供給部から送り出されたシートを、前記第一位置において一枚ずつに分離して搬送方向下流側へと送り出すよう構成され、
前記搬送部は、
前記第五位置を通過するシートの第二面に接触して、シートが前記第一接触部から浮き上がるのを抑制する第一押さえ部材と、
前記第一押さえ部材を前記搬送経路側に向かって付勢する第一付勢部材と、
前記第一搬送ローラと協働してシートを一枚ずつに分離する分離片と、
前記分離片を前記搬送経路側に向かって付勢する分離片付勢部材と
を備え、
前記第一押さえ部材、前記第一付勢部材、前記第一搬送ローラ、前記分離片、及び前記分離片付勢部材は、前記第一搬送ローラの回転中心となる軸線に平行な方向から見た場合、前記支持面に平行かつ前記第一搬送ローラの回転中心となる軸線に直交する方向の位置について、互いに重なる位置に配設されている
請求項１又は請求項２に記載の画像読取装置。
【請求項４】
前記第二読取部は、前記第一搬送ローラの回転中心となる軸線に平行な方向から見た場合、前記支持面に直交する方向の位置について、前記分離片付勢部材に重なる位置に配設されている
請求項３に記載の画像読取装置。
【請求項５】
前記搬送部は、
前記第二位置付近に設けられ、シートを前記第三位置側に向かって送出する第二搬送ローラ対
を備え、
前記第二読取部と前記第二搬送ローラ対は、前記第一搬送ローラの回転中心となる軸線に平行な方向から見た場合、前記支持面に平行かつ前記第一搬送ローラの回転中心となる軸線に直交する方向の位置について、互いに重なる位置に配設されている
請求項１〜請求項４のいずれか一項に記載の画像読取装置。
【請求項６】
前記搬送部は、
前記第三位置付近に設けられ、シートを前記第四位置側に向かって送出する第三搬送ローラ対と、
前記第三位置よりも搬送方向下流側、かつ前記第四位置よりも搬送方向上流側にある検出位置において、当該検出位置を通過するシートを検出可能なシート検出部と
を備え、
前記第三搬送ローラ対よりも搬送方向下流側、かつ前記第五位置よりも搬送方向上流側となる範囲には、シートに接触しつつ回転するローラが配置されていない
請求項５に記載の画像読取装置。
【請求項７】
前記搬送部は、
前記第四位置を通過するシートの第一面に接触して、シートが前記第二接触部から浮き上がるのを抑制する第二押さえ部材
を備え、
前記第二押さえ部材は、前記第一搬送ローラの回転中心となる軸線に平行な方向から見た場合、前記支持面に平行かつ前記第一搬送ローラの回転中心となる軸線に直交する方向の位置について、前記第一接触部に重なる位置に配設されている
請求項１〜請求項６のいずれか一項に記載の画像読取装置。
【請求項８】
読み取り対象物を支持する支持面を有する第一ユニットと、
前記第一ユニットに取り付けられており、前記支持面を覆う閉位置と前記支持面を露出させる開位置との間で変位可能な第二ユニットと
を備え、
前記第二ユニットは、
所定の搬送経路に沿ってシートを搬送する搬送部と、
前記搬送部へ供給されるシートを支持する供給部と、
前記搬送部から排出されたシートを支持する排出部と
を備え、
前記第一ユニットは、
前記搬送部によって搬送されるシートが接触する第一接触部と、
前記支持面に沿って移動しつつ当該支持面によって支持された前記読み取り対象物の画像を読み取り可能、かつ前記第一接触部を挟んで前記搬送経路に対向する静止位置で静止して前記第一接触部に接触しつつ第一読取位置を通過するシートの画像を読み取り可能な第一読取部と
を備え、
前記第二ユニットは、
前記搬送部によって搬送されるシートが接触する第二接触部と、
前記第二接触部に接触しつつ第二読取位置を通過するシートの画像を読み取る第二読取部と
を備え、
前記搬送部は、
前記供給部の搬送方向下流端付近から、更に搬送方向下流側へと搬送されるシートを、下り勾配で傾斜した方向へと案内する第一案内部と、
前記第一案内部の搬送方向下流端付近から、更に搬送方向下流側へと搬送されるシートを、上り勾配で傾斜した方向へと案内する第二案内部と、
前記第二案内部の搬送方向下流端付近から、更に搬送方向下流側へと搬送されるシートを、前記第二案内部における案内方向に対してＵターンさせる方向へと案内する第三案内部と、
前記第三案内部の搬送方向下流端付近から、更に搬送方向下流側へと搬送されるシートを、下り勾配で傾斜した方向へと案内する第四案内部と、
前記第四案内部の搬送方向下流端付近から、更に搬送方向下流側へと搬送されるシートを、上り勾配で傾斜した方向へと案内する第五案内部と
を有し、
前記供給部から送り出されたシートを、前記搬送経路の第一位置において搬送方向下流側へと送り出す第一搬送ローラを有し、前記搬送経路に沿ってシートを搬送する際には、シートが前記第一位置を通過した後、第二位置から第三位置に至る範囲では前記第三案内部によってシートの搬送方向をＵターンさせ、更に前記第三位置から第四位置を経由して第五位置に至る範囲では前記第四案内部によってシートを斜め下方へと案内し、その際、前記第四位置ではシートの第二面を前記第二接触部に接触させ、前記第五位置でシートの第一面を前記第一接触部に接触させ、
前記第二読取部は、前記第一搬送ローラの回転中心となる軸線に平行な方向から見た場合、前記支持面に平行かつ前記第一搬送ローラの回転中心となる軸線に直交する方向の位置について、前記静止位置で静止した前記第一読取部とは重ならない位置に配設され、
前記第二読取部及び前記第二接触部は、前記支持面に対して傾いた状態で、前記第四案内部に配設されている
画像読取装置。
【発明の詳細な説明】
【技術分野】
【０００１】
本発明は、画像読取装置に関する。
【背景技術】
【０００２】
原稿を搬送しながら原稿の画像を読み取るＡＤＦ（Automatic Document Feeder；自動原稿送り装置）方式の画像読取装置の構成としては、例えば、下記特許文献１に開示された構成が知られている。
【０００３】
下記特許文献１に記載の画像読取装置の場合、給紙トレイに支持されている複数枚の原稿を吸入ローラよって搬送方向下流側へ送り出し、分離ローラによって１枚ずつに分離するように構成されている。分離された原稿は、更に搬送方向下流側へ搬送されて、湾曲経路を形成している反転ローラによってＵターンするように案内され、給紙トレイの下方に配置された排紙トレイに向けて搬送される。
【０００４】
原稿が搬送される際には、湾曲経路の上流側において、ＡＤＦ側のイメージセンサによって原稿の裏面が読み取られ、湾曲経路の下流側において、ＦＢ（Flatbed；フラットベッド）側のイメージセンサによって原稿の表面が読み取られる。ＦＢ側イメージセンサは、原稿台に沿って移動しながら原稿台の上に置かれた静止原稿の画像を読み取り可能に構成される。ただし、ＡＤＦによって搬送される原稿を読み取る場合には、所定の静止位置で静止し、湾曲経路の下流側にある読取位置を通過する原稿の画像を読み取る。
【先行技術文献】
【特許文献】
【０００５】
【特許文献１】特許５１２６２７０号公報
【発明の概要】
【発明が解決しようとする課題】
【０００６】
ところで、上記特許文献１に記載の画像読取装置において、静止位置で静止したＦＢ側イメージセンサの上方には、搬送される原稿が浮き上がるのを抑制するための原稿押さえや、原稿押さえをＦＢ側イメージセンサに向かって付勢する付勢部材などが配設される。そして、それらの構成よりも更に上方に、ＡＤＦ側イメージセンサが配設されている。
【０００７】
しかし、このような位置にＡＤＦ側イメージセンサを配設すると、ＡＤＦ側イメージセンサが配設された箇所の高さ方向寸法を小さくすることが難しく、これが画像読取装置の薄型化を妨げる一因となっている。
【０００８】
以上のような事情から、上述のような従来品よりも更に薄型化を図ることが容易な画像読取装置を提供することが望ましい。
【課題を解決するための手段】
【０００９】
以下に説明する画像読取装置は、読み取り対象物を支持する支持面を有する第一ユニットと、前記第一ユニットに取り付けられており、前記支持面を覆う閉位置と前記支持面を露出させる開位置との間で変位可能な第二ユニットとを備え、前記第二ユニットは、所定の搬送経路に沿ってシートを搬送する搬送部と、前記搬送部へ供給されるシートを支持する供給部と、前記搬送部から排出されたシートを支持する排出部とを備え、前記第一ユニットは、前記搬送部によって搬送されるシートが接触する第一接触部と、前記支持面に沿って移動しつつ当該支持面によって支持された前記読み取り対象物の画像を読み取り可能、かつ前記第一接触部を挟んで前記搬送経路に対向する静止位置で静止して前記第一接触部に接触しつつ第一読取位置を通過するシートの画像を読み取り可能な第一読取部とを備え、前記第二ユニットは、前記搬送部によって搬送されるシートが接触する第二接触部と、前記第二接触部に接触しつつ第二読取位置を通過するシートの画像を読み取る第二読取部とを備え、前記搬送部は、前記供給部から送り出されたシートを、前記搬送経路の第一位置において搬送方向下流側へと送り出す第一搬送ローラを有し、前記搬送経路に沿ってシートを搬送する際には、シートが前記第一位置を通過した後、第二位置から第三位置に至る範囲でシートの搬送方向をＵターンさせ、更に前記第三位置から第四位置を経由して第五位置に至る範囲のうち、前記第四位置ではシートの第二面を前記第二接触部に接触させ、前記第五位置でシートの第一面を前記第一接触部に接触させ、前記第二読取部は、前記支持面に直交する方向から見て、前記静止位置で静止した前記第一読取部とは重ならない位置に配設されている。
【００１０】
このように構成された画像読取装置によれば、上述のような搬送経路が構成されるとともに、支持面に直交する方向から見て、第二読取部は、静止位置で静止した第一読取部と重ならない位置に配設されている。そのため、支持面に直交する方向から見て、第一読取部と第二読取部が重なる位置にある場合とは異なり、第五位置において第一読取部とは搬送経路を挟んで反対側に設けられる構造物と第二読取部とを、互いの一部が同じ高さに配置されるような位置関係で配置することができる。したがって、第二読取部付近の構造について高さ方向寸法を低減することができ、画像読取装置の薄型化を図ることができる。
【００１１】
以上のような画像読取装置は、更に以下に挙げるような構成を備えていることが好ましい。
まず、前記搬送部は、前記第三位置から前記第五位置へと搬送されるシートを、下り勾配で傾斜した方向へと案内する傾斜案内部を備え、前記第二読取部及び前記第二接触部は、前記支持面に対して傾いた状態で、前記傾斜案内部に配設されていることが好ましい。
【００１２】
このように構成された画像読取装置によれば、上述のような傾斜案内部において第三位置から第五位置へと搬送されるシートを、下り勾配で傾斜した方向へと案内している。そのため、支持面に平行な経路に沿って同等な距離のシート搬送を行う場合に比べ、支持面に平行かつ第一搬送ローラの回転中心となる軸線に直交する方向について搬送経路の配設範囲を小さくすることができ、画像読取装置の構造をよりコンパクトにすることができる。
【００１３】
また、前記第一搬送ローラは、前記供給部から送り出されたシートを、前記第一位置において一枚ずつに分離して搬送方向下流側へと送り出すよう構成され、前記搬送部は、前記第五位置を通過するシートの第二面に接触して、シートが前記第一接触部から浮き上がるのを抑制する第一押さえ部材と、前記第一押さえ部材を前記搬送経路側に向かって付勢する第一付勢部材と、前記第一搬送ローラと協働してシートを一枚ずつに分離する分離片と、前記分離片を前記搬送経路側に向かって付勢する分離片付勢部材とを備え、前記第一押さえ部材、前記第一付勢部材、前記第一搬送ローラ、前記分離片、及び前記分離片付勢部材は、前記第一搬送ローラの回転中心となる軸線に平行な方向から見た場合、前記支持面に平行かつ前記第一搬送ローラの回転中心となる軸線に直交する方向の位置について、互いに重なる位置に配設されていることが好ましい。
【００１４】
このように構成された画像読取装置によれば、第一押さえ部材、第一付勢部材、第一搬送ローラ、分離片、及び分離片付勢部材が、第一搬送ローラの回転中心となる軸線に平行な方向から見た場合、支持面に平行かつ第一搬送ローラの回転中心となる軸線に直交する方向の位置について、互いに重なる位置に配設されている。したがって、これらの構成が互いに重ならない位置に配設される場合に比べ、支持面に平行かつ第一搬送ローラの回転中心となる軸線に直交する方向について、これらの構成の配設範囲を小さくすることができ、画像読取装置の構造をよりコンパクトにすることができる。
【００１５】
また、前記第二読取部は、前記第一搬送ローラの回転中心となる軸線に平行な方向から見た場合、前記支持面に直交する方向の位置について、前記分離片付勢部材に重なる位置に配設されていることが好ましい。
【００１６】
このように構成された画像読取装置によれば、第二読取部が、第一搬送ローラの回転中心となる軸線に平行な方向から見た場合、支持面に直交する方向の位置について、分離片付勢部材に重なる位置に配設されている。したがって、これらの構成が重ならない位置に配設される場合に比べ、支持面に直交する方向について、これらの構成の配設範囲を小さくすることができ、画像読取装置の構造をよりコンパクトにすることができる。
【００１７】
また、前記搬送部は、前記第二位置付近に設けられ、シートを前記第三位置側に向かって送出する第二搬送ローラ対を備え、前記第二読取部と前記第二搬送ローラ対は、前記第一搬送ローラの回転中心となる軸線に平行な方向から見た場合、前記支持面に平行かつ前記第一搬送ローラの回転中心となる軸線に直交する方向の位置について、互いに重なる位置に配設されていることが好ましい。
【００１８】
このように構成された画像読取装置によれば、第二読取部と第二搬送ローラ対が、第一搬送ローラの回転中心となる軸線に平行な方向から見た場合、支持面に平行かつ第一搬送ローラの回転中心となる軸線に直交する方向の位置について、互いに重なる位置に配設されている。したがって、これらの構成が重ならない位置に配設される場合に比べ、支持面に平行かつ第一搬送ローラの回転中心となる軸線に直交する方向について、これらの構成の配設範囲を小さくすることができ、画像読取装置の構造をよりコンパクトにすることができる。
【００１９】
また、前記搬送部は、前記第三位置付近に設けられ、シートを前記第四位置側に向かって送出する第三搬送ローラ対と、前記第三位置よりも搬送方向下流側、かつ前記第四位置よりも搬送方向上流側にある検出位置において、当該検出位置を通過するシートを検出可能なシート検出部とを備え、前記第三搬送ローラ対よりも搬送方向下流側、かつ前記第五位置よりも搬送方向上流側となる範囲には、シートに接触しつつ回転するローラが配置されていないことが好ましい。
【００２０】
このように構成された画像読取装置によれば、第三搬送ローラ対よりも搬送方向下流側、かつ第五位置よりも搬送方向上流側となる範囲には、シートに接触しつつ回転するローラが配置されていない。そのため、第三搬送ローラ対によって送出されるシートは、他の搬送ローラ対によって搬送速度を変えられることなく、第四位置及び第五位置を通過する。したがって、単一のシート検出部であっても、第四位置よりも搬送方向上流側にある検出位置でシートを検出すれば、シートの先端や終端が第四位置ないし第五位置を通過するタイミングを特定することができる。よって、第四位置と第五位置との間に搬送ローラ対が存在する場合とは異なり、シートが第四位置、第五位置それぞれを通過するタイミングを特定するための検出部を個別に設けなくても済み、その分だけ画像読取装置の構成を簡素化することができる。
【００２１】
また、前記搬送部は、前記第四位置を通過するシートの第一面に接触して、シートが前記第二接触部から浮き上がるのを抑制する第二押さえ部材を備え、前記第二押さえ部材は、前記第一搬送ローラの回転中心となる軸線に平行な方向から見た場合、前記支持面に平行かつ前記第一搬送ローラの回転中心となる軸線に直交する方向の位置について、前記第一接触部に重なる位置に配設されていることが好ましい。
【００２２】
このように構成された画像読取装置によれば、第二押さえ部材が、支持面に直交する方向から見て、第一接触部に重なる位置に配設されている。したがって、これらの構成が重ならない位置に配設される場合に比べ、支持面に平行かつ第一搬送ローラの回転中心となる軸線に直交する方向について、これらの構成の配設範囲を小さくすることができ、画像読取装置の構造をよりコンパクトにすることができる。
【００２３】
さらに、次に説明する画像読取装置は、読み取り対象物を支持する支持面を有する第一ユニットと、前記第一ユニットに取り付けられており、前記支持面を覆う閉位置と前記支持面を露出させる開位置との間で変位可能な第二ユニットとを備え、前記第二ユニットは、所定の搬送経路に沿ってシートを搬送する搬送部と、前記搬送部へ供給されるシートを支持する供給部と、前記搬送部から排出されたシートを支持する排出部とを備え、前記第一ユニットは、前記搬送部によって搬送されるシートが接触する第一接触部と、前記支持面に沿って移動しつつ当該支持面によって支持された前記読み取り対象物の画像を読み取り可能、かつ前記第一接触部を挟んで前記搬送経路に対向する静止位置で静止して前記第一接触部に接触しつつ第一読取位置を通過するシートの画像を読み取り可能な第一読取部とを備え、前記第二ユニットは、前記搬送部によって搬送されるシートが接触する第二接触部と、前記第二接触部に接触しつつ第二読取位置を通過するシートの画像を読み取る第二読取部とを備え、前記搬送部は、前記供給部の搬送方向下流端付近から、更に搬送方向下流側へと搬送されるシートを、下り勾配で傾斜した方向へと案内する第一案内部と、前記第一案内部の搬送方向下流端付近から、更に搬送方向下流側へと搬送されるシートを、上り勾配で傾斜した方向へと案内する第二案内部と、前記第二案内部の搬送方向下流端付近から、更に搬送方向下流側へと搬送されるシートを、前記第二案内部における案内方向に対してＵターンさせる方向へと案内する第三案内部と、前記第三案内部の搬送方向下流端付近から、更に搬送方向下流側へと搬送されるシートを、下り勾配で傾斜した方向へと案内する第四案内部と、前記第四案内部の搬送方向下流端付近から、更に搬送方向下流側へと搬送されるシートを、上り勾配で傾斜した方向へと案内する第五案内部とを有し、前記供給部から送り出されたシートを、前記搬送経路の第一位置において搬送方向下流側へと送り出す第一搬送ローラを有し、前記搬送経路に沿ってシートを搬送する際には、シートが前記第一位置を通過した後、第二位置から第三位置に至る範囲では前記第三案内部によってシートの搬送方向をＵターンさせ、更に前記第三位置から第四位置を経由して第五位置に至る範囲では前記第四案内部によってシートを斜め下方へと案内し、その際、前記第四位置ではシートの第二面を前記第二接触部に接触させ、前記第五位置でシートの第一面を前記第一接触部に接触させ、前記第二読取部は、前記第一搬送ローラの回転中心となる軸線に平行な方向から見た場合、前記支持面に平行かつ前記第一搬送ローラの回転中心となる軸線に直交する方向の位置について、前記静止位置で静止した前記第一読取部とは重ならない位置に配設され、前記第二読取部及び前記第二接触部は、前記支持面に対して傾いた状態で、前記第四案内部に配設されている。
【００２４】
このように構成された画像読取装置によれば、第一案内部、第二案内部、第三案内部、第四案内部、及び第五案内部により、全体として略Ｖ字状の搬送経路が構成されるとともに、支持面に直交する方向から見て、第二読取部が、静止位置で静止した第一読取部と重ならない位置に配設されている。そのため、支持面に直交する方向から見て、第一読取部と第二読取部が重なる位置にある場合とは異なり、第五位置において第一読取部とは搬送経路を挟んで反対側に設けられる構造物と第二読取部とを、互いの一部が同じ高さに配置されるような位置関係で配置することができる。したがって、第二読取部付近の構造について高さ方向寸法を低減することができ、画像読取装置の薄型化を図ることができる。また、全体として略Ｖ字状の搬送経路が構成される。よって、支持面に平行な経路に沿って同等な距離のシート搬送を行う場合に比べ、支持面に平行かつ第一搬送ローラの回転中心となる軸線に直交する方向について搬送経路の配設範囲を小さくすることができ、画像読取装置の構造をよりコンパクトにすることができる。
【図面の簡単な説明】
【００２５】
【図１】複合機の構成を示すブロック図。
【図２】（Ａ）はＡＤＦユニットが閉位置にある状態の読取ユニットを示す斜視図、（Ｂ）はＡＤＦユニットが開位置にある状態の読取ユニットを示す斜視図。
【図３】読取ユニットの縦断面図。
【図４】搬送部付近を拡大して示す縦断面図。
【図５】搬送部付近の構成の相対的な位置関係を示す説明図。
【発明を実施するための形態】
【００２６】
次に、上述の画像読取装置について、より具体的な例を挙げて説明する。
［複合機の構成］
図１に示す複合機１は、上述の画像読取装置の一例に相当する構成を備えるものである。なお、以下の説明においては、複合機１を構成する各部の相対的な位置関係を簡潔に説明するために、図中（図２〜図５）に上下左右前後の各方向を併記し、これらの各方向を利用して説明を行う。
【００２７】
図１に示すように、複合機１（本明細書でいう画像読取装置の一例に相当。）は、本体ユニット２と、読取ユニット３とを備える。本体ユニット２の上面には開口部（図示略。）が形成されている。読取ユニット３は、本体ユニット２の上部に取り付けられ、閉位置と開位置との間を変位可能に構成されている。読取ユニット３が閉位置にある場合、本体ユニット２の開口部は読取ユニット３によって閉鎖される。読取ユニット３が開位置にある場合、本体ユニット２の開口部は開放される。なお、この開口部を介して、本体ユニット２内に収容されている構成部品のメンテナンス等が行われる。
【００２８】
読取ユニット３は、ＦＢユニット５（本明細書でいう第一ユニットの一例に相当。）と、ＡＤＦユニット６（本明細書でいう第二ユニットの一例に相当。）とを備える。ＡＤＦユニット６は、図２（Ａ）及び図２（Ｂ）に示すように、ヒンジ部４Ａ，４Ｂを介してＦＢユニット５に取り付けられ、閉位置（図２（Ａ）参照。）と開位置（図２（Ｂ）参照。）との間を変位可能に構成されている。
【００２９】
ＦＢユニット５の上面には、ＦＢ用プラテン７などが配設されている。ＦＢ用プラテン７は、本実施形態の場合、ガラス板によって構成されている。ＡＤＦユニット６が閉位置にある場合（図２（Ａ）参照。）、ＦＢ用プラテン７の上面（本明細書でいう支持面の一例に相当。）はＡＤＦユニット６によって覆われる。また、ＡＤＦユニット６が開位置にある場合（図２（Ｂ）参照。）、ＦＢ用プラテン７の上面が露出する。
【００３０】
ＦＢユニット５の前側には、利用者によって操作される操作パネル８が設けられている。操作パネル８には、利用者が複合機１に対して各種指令を与える際に操作する入力装置（例えば、タッチパネル、各種ボタン類、スイッチ類）と、複合機１の動作状態などを利用者に通知するための出力装置（例えば、液晶ディスプレイ装置）が設けられている。
【００３１】
本体ユニット２には、図１に示すように、制御部１１が設けられている。制御部１１は、周知のＣＰＵ１１Ａ、ＲＯＭ１１Ｂ、ＲＡＭ１１Ｃ、ＮＶＲＡＭ１１Ｄ、及びインターフェース部１１Ｅなどを備える。ＣＰＵ１１Ａは、ＲＯＭ１１ＢやＲＡＭ１１Ｃに記憶された制御プログラムに従って所定の処理を実行し、これにより、複合機１の各部に対する制御が実行される。
【００３２】
制御部１１による制御対象としては、上述した操作パネル８の他、画像形成部１２、ＬＡＮ通信部１３、第一イメージセンサ１５Ａ、第二イメージセンサ１５Ｂ、モータ１７、モータ１８、及びシート検知センサ１９などが設けられている。これらのうち、画像形成部１２、及びＬＡＮ通信部１３は、本体ユニット２に設けられている。操作パネル８、第一イメージセンサ１５Ａ、及びモータ１７は、ＦＢユニット５に設けられている。第二イメージセンサ１５Ｂ、モータ１８、及びシート検知センサ１９は、ＡＤＦユニット６に設けられている。
【００３３】
画像形成部１２は、カット紙等の被記録媒体に対して電子写真方式又はインクジェット方式で画像を形成可能に構成されている。ＬＡＮ通信部１３は、無線ＬＡＮに対応した通信インターフェース装置及び有線ＬＡＮに対応した通信インターフェース装置によって構成されている。
【００３４】
第一イメージセンサ１５Ａ及び第二イメージセンサ１５Ｂは、本実施形態の場合、双方とも密着イメージセンサ（ＣＩＳ；Contact Image Sensor）である。モータ１７は、第一イメージセンサ１５ＡをＦＢ用プラテン７に沿って移動させるための動力源である。モータ１８は、ＡＤＦユニット６においてシートを搬送するための動力源である。シート検知センサ１９は、ＡＤＦユニット６において搬送されるシートの搬送方向先端や搬送方向後端が、所定の検出位置を通過したことを検出するセンサである。
【００３５】
シート検知センサ１９としては、本実施形態の場合、搬送中のシートが接触する状態にあるか否かに応じてオンとオフが切り替わる接触式センサが採用されている。ただし、接触式センサを利用するか否かは任意であり、シートの搬送方向先端や搬送方向後端が所定の検出位置を通過したことを非接触で検出可能なセンサを用いてもよい。例えば、搬送中のシートが光路を遮る状態にあるか否かを検出可能な光学式センサや、搬送中のシートによって光が反射されるか否かを検出可能な光学式センサなどを利用し得る。
【００３６】
［読取ユニットの構造の詳細］
読取ユニット３において、ＡＤＦユニット６は、図３に示すように、所定の搬送経路（図３中に破線で示す経路参照。）に沿ってシートを搬送する搬送部２０を備える。搬送部２０の搬送方向上流側には、搬送部２０へ供給されるシートを支持する供給部２１が設けられている。搬送部２０の搬送方向下流側には、搬送部２０から排出されたシートを支持する排出部２２が設けられている。
【００３７】
搬送部２０は、図３に示すように、吸入ローラ２５、第一搬送ローラ２６Ａ、分離片２６Ｂ、第二搬送ローラ対２７（第二搬送ローラ２７Ａ及びピンチローラ２７Ｂ）、第三搬送ローラ対２８（第三搬送ローラ２８Ａ及びピンチローラ２８Ｂ）、及び第四搬送ローラ対２９（第四搬送ローラ２９Ａ及びピンチローラ２９Ｂ）などを備える。図３は、これらのローラ群の回転中心となる軸線に直交する切断面における縦断面図であり、図４は、図３に示した上述のローラ群付近を拡大して示す縦断面図である。搬送部２０には、これらのローラ群とともに、搬送経路を画定する部材が設けられる。これにより、搬送部２０には、図４に示すような、第一案内部２０Ａから第二案内部２０Ｂ、第三案内部２０Ｃ、及び第四案内部２０Ｄを経て第五案内部２０Ｅに至る搬送経路が構成されている。
【００３８】
なお、本実施形態でいう上下方向は、ＦＢ用プラテン７の上面（支持面）に直交する方向に一致する。また、本実施形態でいう前後方向は、第一搬送ローラ２６Ａの回転中心となる軸線に平行な方向に一致する。また、本実施形態でいう左右方向は、第一搬送ローラ２６Ａの回転中心となる軸線に直交し、かつＦＢ用プラテン７の上面（支持面）に平行な方向に一致する。
【００３９】
第一案内部２０Ａは、供給部２１の搬送方向下流端付近から、更に搬送方向下流側へと搬送されるシートを、下り勾配で傾斜した方向へと案内する。第二案内部２０Ｂは、第一案内部２０Ａの搬送方向下流端付近から、更に搬送方向下流側へと搬送されるシートを、上り勾配で傾斜した方向へと案内する。すなわち、第一案内部２０Ａ及び第二案内部２０Ｂは、図４に示した通りの方向（本実施形態でいう正面側）から見て、略Ｖ字状に見える搬送経路を構成している。第三案内部２０Ｃは、第二案内部２０Ｂの搬送方向下流端付近から、更に搬送方向下流側へと搬送されるシートを、第二案内部２０Ｂにおける案内方向に対してＵターンさせる方向へと案内する。
【００４０】
第四案内部２０Ｄは、第三案内部２０Ｃの搬送方向下流端付近から、更に搬送方向下流側へと搬送されるシートを、下り勾配で傾斜した方向へと案内する。第五案内部２０Ｅは、第四案内部２０Ｄの搬送方向下流端付近から、更に搬送方向下流側へと搬送されるシートを、上り勾配で傾斜した方向へと案内する。すなわち、第四案内部２０Ｄ及び第五案内部２０Ｅも、第一案内部２０Ａ及び第二案内部２０Ｂと同様に、図４に示した通りの方向（本実施形態でいう正面側）から見て、略Ｖ字状に見える搬送経路を構成している。
【００４１】
このように第一案内部２０Ａ及び第二案内部２０Ｂと、第四案内部２０Ｄ及び第五案内部２０Ｅは、双方とも略Ｖ字状に見える搬送経路を構成している。そのため、これら第一案内部２０Ａから第五案内部２０Ｅに至る搬送経路全体としても、図４に示した通りの方向（本実施形態でいう正面側）から見て、略Ｖ字状に見える搬送経路となっている。
【００４２】
吸入ローラ２５は、第一案内部２０Ａに対向して配置され、供給部２１によって支持されたシートを搬送方向下流側へと送り出す。第一搬送ローラ２６Ａ及び分離片２６Ｂは、第二案内部２０Ｂによって規定される搬送経路を挟んで対向して配置され、供給部２１から送り出されたシートを、第一搬送ローラ２６Ａと分離片２６Ｂとのニップ位置である搬送経路の第一位置Ｔ１（以下、ニップ位置Ｔ１とも称する。）において一枚ずつに分離して搬送方向下流側へと送り出す。
【００４３】
分離片２６Ｂは、分離片ホルダ２６Ｃ（図４参照。）によって保持されている。分離片ホルダ２６Ｃは、その周囲にあるフレームなどの構造物に対して揺動可能に取り付けられ、分離片付勢部材２６Ｄ（図４参照。）によって第一搬送ローラ２６Ａ側に向かって付勢されている。この状態において、分離片２６Ｂは、シートとの接触面が、ＦＢ用プラテン７の上面（支持面）に対して傾斜した状態で第一搬送ローラ２６Ａに対向し、搬送方向下流側に向かって上り勾配となる傾斜をなす向きに配置される。これにより、分離片２６Ｂは、第二案内部２０Ｂの一部を構成する。
【００４４】
第二搬送ローラ対２７は、第二案内部２０Ｂと第三案内部２０Ｃとの境界に設けられ、搬送方向上流側から搬送されてくるシートを、第二搬送ローラ２７Ａとピンチローラ２７Ｂとのニップ位置である搬送経路の第二位置Ｔ２（以下、ニップ位置Ｔ２とも称する。）において挟持し、搬送方向下流側へと送り出す。第三搬送ローラ対２８は、第三案内部２０Ｃと第四案内部２０Ｄとの境界に設けられ、搬送方向上流側から搬送されてくるシートを、第三搬送ローラ２８Ａとピンチローラ２８Ｂとのニップ位置である搬送経路の第三位置Ｔ３（以下、ニップ位置Ｔ３とも称する。）において搬送方向下流側へと送り出す。第四搬送ローラ対２９は、第五案内部２０Ｅの搬送方向下流端に設けられ、搬送方向上流側から搬送されてくるシートを、第四搬送ローラ２９Ａとピンチローラ２９Ｂとにより挟持しながら排出部２２へ排出する。
【００４５】
第三案内部２０Ｃのうち、第二搬送ローラ対２７から搬送方向下流側へ所定距離以内の範囲にある第一領域Ａ１は、第一領域Ａ１に沿って案内される状態にあるシートの一部を湾曲させることなく平面状に維持したまま案内可能な経路とされている。また、第四案内部２０Ｄのうち、第三搬送ローラ対２８から搬送方向下流側へ所定距離以内の範囲にある第二領域Ａ２も、第二領域Ａ２に沿って案内される状態にあるシートの一部を湾曲させることなく平面状に維持したまま案内可能な経路とされている。
【００４６】
なお、第一領域Ａ１及び第二領域Ａ２においてシートに接触する接触箇所は、シートの一部を平面状に維持したまま案内可能な形状とされていれば、当該接触箇所そのものが平面状であるか否かは任意である。例えば、接触箇所そのものが平面状に形成されていてもよいが、並列に形成された複数のリブの先端がシートとの接触箇所となっていて、それら複数のリブの先端がシートに接触することで、シートの一部を平面状に維持したまま案内可能となっていてもよい。
【００４７】
第四案内部２０Ｄと第五案内部２０Ｅとの境界にある第五位置Ｔ５において搬送経路を挟む両側には、第一ＡＤＦ用プラテン３１Ａと、第一押さえ部材３３Ａが設けられている。また、第四案内部２０Ｄにある第四位置Ｔ４において搬送経路を挟む両側には、第二ＡＤＦ用プラテン３１Ｂと、第二押さえ部材３３Ｂ（本明細書でいう押さえ部材の一例に相当。）が設けられている。第四案内部２０Ｄは、第三位置Ｔ３から第五位置Ｔ５へと搬送されるシートを、下り勾配で傾斜した方向へと案内している（本明細書でいう傾斜案内部の一例に相当。）。第二イメージセンサ１５Ｂ及び第二ＡＤＦ用プラテン３１Ｂは、ＦＢ用プラテン７の上面（支持面）に対して傾いた状態で、第四案内部２０Ｄに配設されている。
【００４８】
これらのうち、第一ＡＤＦ用プラテン３１Ａ、及び第二押さえ部材３３Ｂは、ＦＢユニット５側に配設され、第二ＡＤＦ用プラテン３１Ｂ、及び第一押さえ部材３３Ａは、ＡＤＦユニット６側に配設されている。そのため、ＡＤＦユニット６が開位置にある場合（図２（Ｂ）参照。）、ＦＢユニット５の上面側では、第一ＡＤＦ用プラテン３１Ａ、及び第二押さえ部材３３Ｂが露出する。また、ＡＤＦユニット６が開位置にある場合（図２（Ｂ）参照。）、ＡＤＦユニット６側では、第二ＡＤＦ用プラテン３１Ｂ、及び第一押さえ部材３３Ａが露出する。
【００４９】
第一ＡＤＦ用プラテン３１Ａ、及び第二ＡＤＦ用プラテン３１Ｂは、本実施形態の場合、ガラス板によって構成され、シートの搬送方向に対して直交する幅方向（本実施形態でいう前後方向。）について、シートの幅を超える範囲にわたって延在している。第一押さえ部材３３Ａ、及び第二押さえ部材３３Ｂは、金属又は硬質樹脂材料によって形成された部材で、第一ＡＤＦ用プラテン３１Ａ、及び第二ＡＤＦ用プラテン３１Ｂと同様に、シートの幅を超える範囲にわたって延在している。
【００５０】
第一押さえ部材３３Ａは、図４に示すように、第一付勢部材３４Ａ（本実施形態ではコイルスプリング。）によって第一ＡＤＦ用プラテン３１Ａ側に向かって付勢される。これにより、第一押さえ部材３３Ａは、第一ＡＤＦ用プラテン３１Ａの上面に接触しつつ通過するシートが第一ＡＤＦ用プラテン３１Ａ側から浮き上がるのを抑制する。第二押さえ部材３３Ｂは、第二付勢部材３４Ｂ（本実施形態ではコイルスプリング。）によって第二ＡＤＦ用プラテン３１Ｂ側に向かって付勢される。これにより、第二押さえ部材３３Ｂは、第二ＡＤＦ用プラテン３１Ｂの上面に接触しつつ通過するシートが第二ＡＤＦ用プラテン３１Ｂ側から浮き上がるのを抑制する。
【００５１】
第一ＡＤＦ用プラテン３１Ａの上面中央付近には、図４に示すように、白黒基準部材３５が配設されている。白黒基準部材３５は、白色部分と黒色部分が所定のパターンをなすように形成された部材である。第一イメージセンサ１５Ａによる画像の読み取りを行う際には、事前に第一イメージセンサ１５Ａにより、第一ＡＤＦ用プラテン３１Ａ越しに白黒基準部材３５が読み取られる。読み取られた白黒画像のデータは、ＣＰＵ１１Ａによって第一イメージセンサ１５Ａの原点位置の補正やシェーディング補正が行われる際に利用される。搬送部２０によって搬送されるシートの画像を読み取る際には、図４において白黒基準部材３５よりも右方となる領域で、シートが第一ＡＤＦ用プラテン３１Ａに接触する。第一ＡＤＦ用プラテン３１Ａの図４中における左右方向の幅は、シートの画像を読み取るための領域、白黒基準部材３５を読み取るための領域、及び第一ＡＤＦ用プラテン３１Ａを固着するための領域などを確保できる程度の幅に構成されている。
【００５２】
第三位置Ｔ３よりも搬送方向下流側、かつ第四位置Ｔ４よりも搬送方向上流側にある検出位置ＴＳ付近には、この検出位置ＴＳを通過するシートを検出可能なシート検知センサ１９（図１参照。）が配設されている。第三搬送ローラ対２８よりも搬送方向下流側、かつ第五位置Ｔ５よりも搬送方向上流側となる範囲には、シートに接触しつつ回転するローラが配置されておらず、第三位置Ｔ３から第五位置Ｔ５まではほぼ真っ直ぐにシートが搬送される。そのため、第三位置Ｔ３から第五位置Ｔ５までの区間では、シートの搬送速度が変動しにくく、第四位置Ｔ４及び第五位置Ｔ５へシートの搬送方向先端又は後端が到達するタイミングを、単一の検出位置ＴＳにおいて検出することができる。
【００５３】
ＦＢユニット５には、図３に示すように、ガイド軸３６、キャリッジ３７、及び歯付きベルト３８などが配設されている。ガイド軸３６は、金属製の丸棒で、第一ＡＤＦ用プラテン３１Ａの下方からＦＢ用プラテン７の下方にわたる範囲において、第一ＡＤＦ用プラテン３１Ａ及びＦＢ用プラテン７の下面と平行な状態で、本実施形態でいう左右方向に延在している。
【００５４】
キャリッジ３７は、ガイド軸３６に対して摺動可能に取り付けられ、ガイド軸３６に沿ってガイド軸３６の延在方向（本実施形態でいう左右方向。）へ往復移動可能な状態で支持されている。このキャリッジ３７は、無端状に形成された歯付きベルト３８に連結され、歯付きベルト３８が循環駆動されるのに追従して、本実施形態でいう左右方向へ往復移動する。
【００５５】
第一イメージセンサ１５Ａは、キャリッジ３７に搭載され、キャリッジ３７が移動する際には、キャリッジ３７とともに移動する。なお、第一イメージセンサ１５Ａは、付勢部材（本実施形態ではコイルスプリング。）によって第一ＡＤＦ用プラテン３１Ａ及びＦＢ用プラテン７側に向かって付勢され、これにより、第一イメージセンサ１５Ａと第一ＡＤＦ用プラテン３１Ａ及びＦＢ用プラテン７との間の距離が一定に維持される。第二イメージセンサ１５Ｂは、所定の位置に配設され、その位置から移動することはない。第二イメージセンサ１５Ｂは、自重で第二ＡＤＦ用プラテン３１Ｂ側に密接し、これにより、第二イメージセンサ１５Ｂと第二ＡＤＦ用プラテン３１Ｂとの間の距離が一定に維持される。なお、第二イメージセンサ１５Ｂを第二ＡＤＦ用プラテン３１Ｂ側に向かって付勢する付勢部材を備えていてもよい。
【００５６】
第一イメージセンサ１５Ａ、及び第二イメージセンサ１５Ｂが有する複数の読取素子は、本実施形態でいう前後方向に配列されている。ＦＢ用プラテン７の上面に載置されたシートの画像を読み取る場合、第一イメージセンサ１５Ａは、キャリッジ３７とともに移動しながら画像を読み取る。
【００５７】
搬送部２０によって搬送されるシートの画像を読み取る場合、第一イメージセンサ１５Ａは、第一押さえ部材３３Ａ及び第一ＡＤＦ用プラテン３１Ａの下方にある静止位置で静止する。その状態で、第一イメージセンサ１５Ａは、搬送経路の第五位置Ｔ５（以下、第一読取位置Ｔ５とも称する。）において、第一ＡＤＦ用プラテン３１Ａに接触しつつ通過するシートの第一面の画像を読み取る。第二イメージセンサ１５Ｂは、搬送経路の第四位置Ｔ４（以下、第二読取位置Ｔ４とも称する。）において、第二ＡＤＦ用プラテン３１Ｂに接触しつつ通過するシートの第二面の画像を読み取る。なお、上述したように、本実施形態においては、単一のシート検知センサ１９によって、第四位置Ｔ４と第５位置Ｔ５の両方について、シートが到達するタイミングを検出することが可能である。このため、第二読取位置Ｔ４、及び第一読取位置Ｔ５における読取開始タイミングをシート検出センサ１９からの検出信号に基づいてＣＰＵ１１Ａは制御することが可能である。
【００５８】
以上のような複合機１において、第四案内部２０Ｄでは、図４に示すように、下り勾配で傾斜した方向へとシートを案内している。そして、第二イメージセンサ１５Ｂ及び第二ＡＤＦ用プラテン３１Ｂは、ＦＢ用プラテン７の上面に対して傾いた状態で、第四案内部２０Ｄに配設されている。そのため、ＦＢ用プラテン７の上面に平行な経路に沿って同等な距離のシート搬送を行う場合に比べ、ＦＢ用プラテン７の上面に平行かつ第一搬送ローラ２６Ａの回転中心となる軸線に直交する方向（本実施形態でいう左右方向。）について搬送経路の配設範囲を小さくすることができ、複合機１の構造をよりコンパクトにすることができる。
【００５９】
また、第二イメージセンサ１５Ｂは、図５に示すように、ＦＢ用プラテン７の上面に直交する方向（本実施形態でいう上下方向。）から見て、静止位置で静止した第一イメージセンサ１５Ａの位置Ｐ１と重ならない位置Ｐ２に配設されている。そのため、ＦＢ用プラテン７の上面に直交する方向から見て、第一イメージセンサ１５Ａと第二イメージセンサ１５Ｂが重なる位置にある場合とは異なり、第五位置Ｔ５において第一イメージセンサ１５Ａとは搬送経路を挟んで反対側に設けられる構造物（例えば、第一押さえ部材３３Ａや第一付勢部材３４Ａなど。）と第二イメージセンサ１５Ｂとを、互いの一部が同じ高さに配置されるような位置関係で配置することができる。したがって、第二イメージセンサ１５Ｂ付近の構造について高さ方向寸法を低減することができ、複合機１の薄型化を図ることができる。
【００６０】
また、図５に示すように、第一搬送ローラ２６Ａの回転中心となる軸線に平行な方向から見た場合、ＦＢ用プラテン７の上面に平行かつ第一搬送ローラ２６Ａの回転中心となる軸線に直交する方向（本実施形態でいう左右方向。）の位置について、第一押さえ部材３３Ａの配設位置Ｐ３、第一付勢部材３４Ａの配設位置Ｐ４、第一搬送ローラ２６Ａの配設位置Ｐ５、分離片２６Ｂの配設位置Ｐ６、及び分離片付勢部材２６Ｄの配設位置Ｐ７が、互いに重なる位置になっている。したがって、これらの構成が互いに重ならない位置に配設される場合に比べ、ＦＢ用プラテン７の上面に平行かつ第一搬送ローラ２６Ａの回転中心となる軸線に直交する方向（本実施形態でいう左右方向。）について、これらの構成の配設範囲を小さくすることができ、複合機１の構造をよりコンパクトにすることができる。
【００６１】
また、図５に示すように、第一搬送ローラ２６Ａの回転中心となる軸線に平行な方向から見た場合、ＦＢ用プラテン７の上面に直交する方向（本実施形態でいう上下方向。）の位置について、第二イメージセンサ１５Ｂの配設位置Ｑ１が、分離片付勢部材２６Ｄの配設位置Ｑ２に重なる位置になっている。したがって、これらの構成が重ならない位置に配設される場合に比べ、ＦＢ用プラテン７の上面に直交する方向について、これらの構成の配設範囲を小さくすることができ、複合機１の構造をよりコンパクトにすることができる。
【００６２】
また、図５に示すように、第一搬送ローラ２６Ａの回転中心となる軸線に平行な方向から見た場合、ＦＢ用プラテン７の上面に平行かつ第一搬送ローラ２６Ａの回転中心となる軸線に直交する方向（本実施形態でいう左右方向。）の位置について、第二イメージセンサ１５Ｂの配設位置Ｐ２と第二搬送ローラ対２７の配設位置Ｐ８が、互いに重なる位置になっている。したがって、これらの構成が重ならない位置に配設される場合に比べ、ＦＢ用プラテン７の上面に平行かつ第一搬送ローラ２６Ａの回転中心となる軸線に直交する方向（本実施形態でいう左右方向。）について、これらの構成の配設範囲を小さくすることができ、複合機１の構造をよりコンパクトにすることができる。
【００６３】
また、図５に示すように、第二押さえ部材３３Ｂの配設位置が、ＦＢ用プラテン７の上面に直交する方向から見て、第一ＡＤＦ用プラテン３１Ａに重なる位置に配設されている。したがって、これらの構成が重ならない位置に配設される場合に比べ、ＦＢ用プラテン７の上面に平行かつ第一搬送ローラ２６Ａの回転中心となる軸線に直交する方向（本実施形態でいう左右方向。）について、これらの構成の配設範囲を小さくすることができ、複合機１の構造をよりコンパクトにすることができる。
【００６４】
［その他の事例］
以上、画像読取装置について、具体的な事例を挙げて説明したが、本発明は、上述の事例に限定されるものではなく、本発明の技術的思想を逸脱しない範囲内において、様々な形態で実施することができる。
【００６５】
例えば、上記実施形態では、本発明の画像読取装置の一例として、複合機として構成された画像読取装置を例示したが、複合機として構成されているか否かは任意であり、単機能の画像読取装置、コピー機、ファクシミリ装置などにおいて、本発明の構成を採用してもよい。
【符号の説明】
【００６６】
１…複合機、２…本体ユニット、３…読取ユニット、５…ＦＢユニット、６…ＡＤＦユニット、７…ＦＢ用プラテン、８…操作パネル、１１…制御部、１１Ａ…ＣＰＵ、１１Ｂ…ＲＯＭ、１１Ｃ…ＲＡＭ、１１Ｄ…ＮＶＲＡＭ、１１Ｅ…インターフェース部、１２…画像形成部、１３…ＬＡＮ通信部、１５Ａ…第一イメージセンサ、１５Ｂ…第二イメージセンサ、１７…モータ、１８…モータ、１９…シート検知センサ、２０…搬送部、２０Ａ…第一案内部、２０Ｂ…第二案内部、２０Ｃ…第三案内部、２０Ｄ…第四案内部、２０Ｅ…第五案内部、２１…供給部、２２…排出部、２５…吸入ローラ、２６Ａ…第一搬送ローラ、２６Ｂ…分離片、２６Ｃ…分離片ホルダ、２６Ｄ…分離片付勢部材、２７…第二搬送ローラ対、２７Ａ…第二搬送ローラ、２７Ｂ…ピンチローラ、２８…第三搬送ローラ対、２８Ａ…第三搬送ローラ、２８Ｂ…ピンチローラ、２９…第四搬送ローラ対、２９Ａ…第四搬送ローラ、２９Ｂ…ピンチローラ、３１Ａ…第一ＡＤＦ用プラテン、３１Ｂ…第二ＡＤＦ用プラテン、３３Ａ…第一押さえ部材、３３Ｂ…第二押さえ部材、３４Ａ…第一付勢部材、３４Ｂ…第二付勢部材、３６…ガイド軸、３７…キャリッジ、３８…歯付きベルト、Ａ１…第一領域、Ａ２…第二領域。
【図１】
2015159343.tif 000003
【図２】
2015159343.tif 000004
【図３】
2015159343.tif 000005
【図４】
2015159343.tif 000006
【図５】
2015159343.tif 000007